(57)【特許請求の範囲】
【請求項１】
円筒状の内筒部と、該内筒部より大径の円筒状に形成された外筒部と、該外筒部と前記内筒部とを連結する底板部と、を有する排水金物本体と、
前記外筒部と前記内筒部との間隙に上側から被せるように前記内筒部の上端面に着座させた椀と、
を備える排水金物の改修方法であって、
前記椀を外し前記排水金物本体の内部を清掃する清掃工程と、
前記清掃工程後に前記内筒部の外側に円筒状の外補助部材を配設して、前記内筒部の内周側の旧排水通路部と接続されて前記内筒部の上端面より上方に延びる延長排水通路部を前記外補助部材の内周側に形成する延長排水通路部形成工程と、
前記延長排水通路部形成工程の直前又は直後に前記内筒部の内周面側に円筒状の内補助パイプを配設する内被覆工程と、
前記外補助部材の上端部外側に充填材を充填して前記外補助部材の上端開口部に排水を流入させる流入部を形成する流入部形成工程と、
前記外補助部材の上端開口部に排水を下流側に流通させる弁部材を配設するトラップ配設工程と、
を行なうことを特徴とする排水金物の改修方法。
【請求項２】
前記延長排水通路部形成工程は、前記外補助部材が、円筒状のソケットと、該ソケットと嵌合可能な円筒状の延設パイプと、で構成され、前記ソケットの一端を前記内筒部の上端部外側に被せた後、前記ソケットの他端に前記延設パイプを嵌合させて行われ、
内被覆工程は、前記延長排水通路部形成工程の直後に行われ、
前記延設パイプ内に前記内補助パイプを挿入して、
前記内補助パイプの上端部と、前記延設パイプの内周面とを接着又は密着させていることを特徴とする請求項１記載の排水金物の改修方法。
【請求項３】
前記延長排水通路部形成工程後、前記流入部形成工程前に、
前記外筒部と、前記内筒部と、底板部とに囲まれて形成された中空部の前記底板部側に、前記外筒部から前記内筒部にわたり水漏れ防止充填剤を充填する、
充填工程を行なうことを特徴とする請求項２記載の排水金物の改修方法。
【請求項４】
前記延長排水通路部形成工程は、前記外補助部材が、円筒状で下端側が前記内筒部の外形形状に対応した形状に拡径した拡径部を有した外補助パイプで構成され、前記外補助パイプを前記内筒部の外側に被せて行われ、
内被覆工程は、前記外補助パイプ内に前記内補助パイプを挿入して、
前記内補助パイプの上端部と、前記外補助パイプの内周面とを接着又は密着させて行われていることを特徴とする請求項１記載の排水金物の改修方法。
【請求項５】
前記延長排水通路部形成工程後、前記流入部形成工程前に、
前記外補助パイプと、前記外筒部と、底板部とに囲まれて形成された中空部の前記底板部側に、前記外筒部から前記外補助パイプにわたり水漏れ防止充填剤を充填する、
充填工程を行なうことを特徴とする請求項４記載の排水金物の改修方法。
【請求項６】
円筒状の内筒部と、該内筒部より大径の円筒状に形成された外筒部と、該外筒部と前記内筒部と、を連結する底板部と、
を有する排水金物本体を備える排水構造であって、
前記内筒部の外側に円筒状の外補助部材が配設され、前記内筒部の内周側の旧排水通路部と接続されて前記内筒部の上端面より上方に延びる延長排水通路部が前記外補助部材の内周側に形成され、
前記内筒部の内側に円筒状の内補助パイプが配設され、
該内補助パイプは、上端部で前記外補助部材の内周面と密接され、
前記外補助部材の上端開口端面に連接して前記外補助部材の上端開口部に排水を流入させる流入部が充填剤により形成され、
前記外補助部材の上端開口部に排水を下流側に流通させる弁部材が配設されていることを特徴とする排水構造。
【請求項７】
前記外補助部材が、一端が前記内筒部の上端外側に被せられる円筒状のソケットと、該ソケットの他端に嵌合され該ソケットから上方に延びる円筒状の延設パイプと、で構成され、
前記延設パイプ内に前記内補助パイプが挿入され、
前記内補助パイプの上端部と、前記延設パイプの内周面とが接着又は密着されていることを特徴とする請求項６記載の排水構造。
【請求項８】
前記外補助部材が、円筒状で下端側が前記内筒部の外形形状に対応した形状に拡径した拡径部を有した外補助パイプで構成され、
前記外補助パイプは、前記内筒部の外側に被せられ
前記外補助パイプ内に前記内補助パイプが挿入され、
前記内補助パイプの上端部と、前記外補助パイプの内周面とが接着又は密着されていることを特徴とする請求項６記載の排水構造。
【請求項９】
前記弁部材が、前記延長排水通路部の内径より小径に形成されて前記延長排水通路部内に挿入された円筒状の管体と、薄板状の可撓性弁部材とを備え、
前記管体の上端部に、前記管体の径方向外側に突出するフランジ部が設けられ、前記フランジ部は、前記延長排水通路部の前記流入部側の端部に上方への移動可能に配置され、
前記管体の下端面には、管軸に対して斜め方向に切断した傾斜面部及び該傾斜面部によって囲まれた開口面が形成され、
前記可撓性弁部材は、前記開口面を開閉可能に配設されていることを特徴とする請求項６、７、又は８記載の排水構造。
【請求項１０】
前記流入部の前記延長排水通路部の上端開口端面側周辺が、前記フランジ部を配置可能で前記フランジ部の下面と対応する形状に形成されていることを特徴とする請求項９記載の排水構造。
【請求項１１】
前記外筒部と、前記内筒部と、前記底板部とに囲まれて形成された中空部の前記底板部側に、前記外筒部から前記内筒部にわたり水漏れ防止充填剤が充填されていることを特徴とする請求項７記載の排水構造。
【請求項１２】
前記外補助パイプと、前記外筒部と、底板部とに囲まれて形成された中空部の前記底板部側に、前記外筒部から前記外補助パイプにわたり水漏れ防止充填剤が充填されていることを特徴とする請求項８記載の排水構造。
【発明の詳細な説明】
【技術分野】
【０００１】
本発明は、長期的に排水金物の保存を可能にする排水金物の改修方法及び排水構造に関する。
【背景技術】
【０００２】
既存の床排水金物の改装方法として、本出願人が先に出願した特許文献１に記載されるものがあった。それによれば、施設内の床面に設置されている床排水金物の、排水目皿及びワントラップを取り外して、排水管及び椀本体内の錆び、塵芥を取った後、椀本体の内壁の上端面にエポキシ樹脂等で形成された漏水防止材を塗布して、ソケットを椀本体の内壁に外嵌させる。そしてソケットの突状部を漏水防止材の上側になるように配設して、ソケットに増設内管を嵌入させて排水通路を形成して、コーキング樹脂層を、調節管の上端開口縁から増設内管の上端開口縁に向かって狭小に形成し、流入口部を形成して、増設内管の内壁に逆止弁を嵌入して支持させていた。
【先行技術文献】
【特許文献】
【０００３】
【特許文献１】実用新案登録第３１６２３１２号公報
【発明の概要】
【発明が解決しようとする課題】
【０００４】
特許文献１の床排水金物の改装方法により、メンテナンスが容易な排水構造が提供されることとなった。
【０００５】
しかし、特許文献１の床排水金物の改装方法では、椀本体の内壁の内周面側が、錆び、塵芥を取るのみであるので改装後の使用により排水が付着して、椀本体の内壁の保存が困難になるおそれがあり、本出願人は、さらなる研究開発に臨んでいた。
【０００６】
本発明は、上記事情に鑑み、椀本体の内壁の長期的な保存を可能にすることができる排水金物の改修方法及び排水構造を提供することを目的とする。
【課題を解決するための手段】
【０００７】
請求項１記載の発明では、椀を外し排水金物本体の内部を清掃する清掃工程と、清掃工程後に内筒部の外側に円筒状の外補助部材を配設して、内筒部の内周側の旧排水通路部と接続されて内筒部の上端面より上方に延びる延長排水通路部を外補助部材の内周側に形成する延長排水通路部形成工程と、延長排水通路部形成工程の直前又は直後に内筒部の内周面側に円筒状の内補助パイプを配設する内被覆工程と、外補助部材の上端部外側に充填材を充填して外補助部材の上端開口部に排水を流入させる流入部を形成する流入部形成工程と、外補助部材の上端開口部に排水を下流側に流通させる弁部材を配設するトラップ配設工程と、を行なっている。
【０００８】
延長排水通路部形成工程の直前又は直後に内筒部の内周面側に円筒状の内補助パイプを配設することで、内筒部の内周面側に排水が付着することを防止して内筒部の腐食の進行を止めることができるので、排水金物本体の内筒部の長期的な保存を可能にすることができる。
【０００９】
請求項２記載の発明では、延長排水通路部形成工程において、外補助部材を、円筒状のソケットと、ソケットと嵌合可能な円筒状の延設パイプと、で構成して、ソケットの一端を内筒部の上端部外側に被せた後、ソケットの他端に延設パイプを嵌合させて行ない、内被覆工程を、延長排水通路部形成工程の直後に行ない、延設パイプ内に内補助パイプを挿入して、内補助パイプの上端部と、延設パイプの内周面とを接着又は密着させている。
【００１０】
外補助部材を別部材にすることにより、内筒部とサイズが合わない場合に、サイズの合うものに取り替えれば排水を下流側に流通させる弁部材を配設可能な延長排水通路部を迅速に形成することができるので、排水管の改修を容易に行なうことができる。また、内補助パイプの上端部と、延設パイプの内周面とを接着又は密着させることで、排水の侵入を防ぐので、排水金物本体の内筒部の長期的な保存を確実なものとすることができる。
【００１１】
請求項３記載の発明では、延長排水通路部形成工程後、流入部形成工程前に、外筒部と、内筒部と、底板部とに囲まれて形成された中空部の底板部側に、外筒部から内筒部にわたり水漏れ防止充填剤を充填する、充填工程を行っている。
【００１２】
これにより、防水層の上側にあふれ出て排水金物本体に形成された水抜き孔から中空部に流れ込む排水が底板部に付着することを防止でき、排水金物本体の底板部の腐食の進行を止めることができる。
【００１３】
請求項４記載の発明では、延長排水通路部形成工程において、外補助部材を、円筒状で下端側が内筒部の外形形状に対応した形状に拡径した拡径部を有した外補助パイプで構成して、外補助パイプを内筒部の外側に被せて行ない、内被覆工程を、外補助パイプ内に内補助パイプを挿入して、内補助パイプの上端部と、外補助パイプの内周面とを接着又は密着させて行っている。
【００１４】
これにより、内筒部の腐食の程度にかかわらずに排水を下流側に流通させる弁部材を配設可能な延長排水通路部を迅速に形成することができるので、排水管の改修を容易に行なうことができる。
【００１５】
請求項５記載の発明では、延長排水通路部形成工程後、流入部形成工程前に、外補助パイプと、外筒部と、底板部とに囲まれて形成された中空部の底板部側に、外筒部から外補助パイプにわたり水漏れ防止充填剤を充填する、充填工程を行っている。
【００１６】
これにより、防水層の上側にあふれ出て排水金物本体に形成された水抜き孔から中空部に流れ込む排水が底板部に付着することを防止でき、排水金物本体の底板部の腐食の進行を止めることができる。
【００１７】
請求項６記載の発明では、内筒部の外側に円筒状の外補助部材を配設して、内筒部の内周側の旧排水通路部と接続されて内筒部の上端面より上方に延びる延長排水通路部を外補助部材の内周側に形成して、内筒部の内側に円筒状の内補助パイプを配設して、内補助パイプを、上端部で外補助部材の内周面と密接させ、外補助部材の上端開口端面に連接して外補助部材の上端開口部に排水を流入させる流入部を充填剤により形成して、外補助部材の上端開口部に排水を下流側に流通させる弁部材を配設している。
【００１８】
内筒部の内周面側に円筒状の内補助パイプを配設することで、内筒部の内周面側に排水が付着することを防止して内筒部の腐食の進行を止めることができるので、排水金物本体の内筒部の長期的な保存を可能にすることができる。
【００１９】
請求項７記載の発明では、外補助部材を、一端で内筒部の上端外側に被せられる円筒状のソケットと、ソケットの他端で嵌合されソケットから上方に延びる円筒状の延設パイプと、で構成して、延設パイプ内に内補助パイプを挿入して、内補助パイプの上端部と、延設パイプの内周面とを接着又は密着させている。
【００２０】
これにより、外補助部材を別部材にすることにより、内筒部とサイズが合わない場合に、サイズの合うものに取り替えれば排水を下流側に流通させる弁部材を配設可能な延長排水通路部を迅速に形成することができるので、排水管の改修を容易に行なうことができる。また、内補助パイプの上端部と、延設パイプの内周面とを接着又は密着させることで、排水の侵入を防ぐので、排水金物本体の内筒部の長期的な保存を確実なものとすることができる。
【００２１】
請求項８記載の発明では、外補助部材を、円筒状で下端側が内筒部の外形形状に対応した形状に拡径した拡径部を有した外補助パイプで構成して、外補助パイプを、内筒部の外側に被せて、外補助パイプ内に内補助パイプを挿入して、内補助パイプの上端部と、外補助パイプの内周面とを接着又は密着させている。
【００２２】
これにより、内筒部の腐食の程度にかかわらずに排水を下流側に流通させる弁部材を配設可能な延長排水通路部を迅速に形成することができるので、排水管の改修を容易に行なうことができる。
【００２３】
請求項９記載の発明では、弁部材を、延長排水通路部の内径より小径に形成されて延長排水通路部内に挿入された円筒状の管体と、薄板状の可撓性弁部材とを備える構成とし、管体の上端部に、管体の径方向外側に突出するフランジ部を設け、フランジ部を、延長排水通路部の流入部側の端部に上方への移動可能に配置して、管体の下端面には、管軸に対して斜め方向に切断した傾斜面部及び該傾斜面部によって囲まれた開口面を形成して、可撓性弁部材を、開口面を開閉可能に配設している。
【００２４】
これにより、排水管内を水、風等が通って瞬間的に排水管の管内圧力が上昇した場合に、フランジ部が圧力を受けることで上方向に弁部材を移動させるので、通気管としての機能を果たすとともに、通気管としての機能により他の器具の封水トラップ部を保護することが可能となる。
【００２５】
また、排水管からの下水臭、害虫の侵入を防止することができるとともに、弁部材を外すことが可能になり、排水管内洗浄、排水構造内清掃、弁部材の脱着確認、交換、修理を容易にすることができる。
【００２６】
請求項１０記載の発明では、流入部の延長排水通路部の上端開口端面側周辺を、フランジ部を配置可能でフランジ部の下面と対応する形状に形成しているので、流入部と、フランジ部との隙間をつめることが可能となり、弁部材のパッキン効果を高めることができる。
【００２７】
請求項１１記載の発明では、外筒部と、内筒部と、底板部とに囲まれて形成された中空部の底板部側に、外筒部から内筒部にわたり水漏れ防止充填剤を充填している。
【００２８】
これにより、防水層の上側にあふれ出て排水金物本体に形成された水抜き孔から中空部に流れ込む排水が底板部に付着することを防止でき、排水金物本体の底板部の腐食の進行を止めることができる。
【００２９】
請求項１２記載の発明では、外補助パイプと、外筒部と、底板部とに囲まれて形成された中空部の底板部側に、外筒部から外補助パイプにわたり水漏れ防止充填剤を充填している。
【００３０】
これにより、防水層の上側にあふれ出て排水金物本体に形成された水抜き孔から中空部に流れ込む排水が底板部に付着することを防止でき、排水金物本体の底板部の腐食の進行を止めることができる。
【図面の簡単な説明】
【００３１】
【図１】本発明の第一の実施形態の排水構造が設置された状態の断面図である。
【図２】本発明の第一の実施形態の排水構造の弁部材の斜視図である。
【図３】本発明の第一の実施形態の排水構造の弁部材の分解断面図である。
【図４】図２の弁部材の弁部の部分拡大図である。
【図５】図２の正面図である。
【図６】本発明の排水金物の改修方法の（ａ）既存の排水トラップが設置された状態、（ｂ）清掃工程の説明図である。
【図７】本発明の排水金物の改修方法の（ａ）延長排水通路部形成工程、（ｂ）内被覆工程の説明図である。
【図８】本発明の排水金物の改修方法の（ａ）充填工程、（ｂ）流入部形成工程の説明図である。
【図９】本発明の排水金物の改修方法の（ａ）流入部形成工程、（ｂ）トラップ配設工程の説明図である。
【図１０】本発明の排水金物の改修方法の完成状態の説明図である。
【図１１】弁部材の変形例の断面図である
【図１２】本発明の他の排水金物の改修方法の延長排水通路部形成工程の（ａ）ソケットを装着した状態、（ｂ）延設パイプを装着した状態の説明図である。
【図１３】本発明の他の排水金物の改修方法の内被覆工程の内補助パイプを装着した状態の説明図である。
【発明を実施するための形態】
【００３２】
以下に、本発明の第一の実施形態を図面に基づいて説明する。以下の説明では、後述する排水目皿７側を上とし、排水管３側を下とする。
【００３３】
施設内の風呂場や便所内の床面Ｔには、図１に示すように、排水構造１が配置されている。
【００３４】
排水構造１は、図１に示すように、上端縁から下端側（下流側）に向かって狭小に形成された流入部２と、排水管３に接続される排水管接続口４と、流入部２と排水管接続口４とを連通する排水通路５と、排水通路５に配置されて排水を排水管３側に流通させる弁部材１０と、を備えている。
【００３５】
流入部２は、排水構造１の開口した上端縁から排水通路５に向かって、椀形状で狭小となるように形成されている。流入部２の内面は、後述するコーキング樹脂層３４３で形成され、その表面が滑らかな仕上げ面６に形成されている。
【００３６】
流入部２の後述する外補助パイプ１８の上端開口端面側周辺は、後述する弁部材１０のフランジ部１３２が載置可能な配設部２１が形成されている。配設部２１は、他の仕上げ面６より下側に段差を有して外補助パイプ１８の管軸に直交する平滑面に形成されるとともに、フランジ部１３２の下面と密接する形状に形成されている。
【００３７】
排水構造１の上端側には、排水を通過させる排水目皿７を支持する目皿受け８と、排水構造１の高さを調節する調節管９と、が配設されている。排水目皿７には、排水を流すため複数の挿通溝７０１が形成されている。調節管９は、後述する外筒部３０２の雌ネジ部３０５で螺合されている。
【００３８】
排水構造１の下端側には、排水管接続口４を有する既設の金属製の排水金物本体３０が配設されている（図６（ａ）参照）。排水金物本体３０は、円筒状の内筒部３０１と、内筒部３０１より大径の円筒状に形成された外筒部３０２と、外筒部３０２と内筒部３０１と、を連結する底板部３０３と、外筒部３０２の外周面から径方向外側に延びるつば部３０４と、排水管３に接続される排水管接続口４と、を備えている。
【００３９】
つば部３０４の上側には、防水層３８が形成されている。つば部３０４の付け根部分には、複数の図示しない水抜き孔が形成されている。水抜き孔により、防水層３８より流れてくる排水が後述する排水金物本体３０の中空部３６に流れ込むように形成されている。排水金物本体３０の外筒部３０２には、上端部に調節管９を螺合する雌ネジ部３０５が形成されている。排水金物本体３０の排水管接続口４の内周面には、排水管３をネジ締結するための雌ネジ部３０６が形成されている。
【００４０】
排水通路５は、旧排水通路部５１と、延長排水通路部５２とで構成されている。
【００４１】
旧排水通路部５１は、内筒部３０１及び排水管接続口４の内周側の領域部分をいう。
【００４２】
延長排水通路部５２は、内筒部３０１の内周側の旧排水通路部５１と接続されて内筒部３０１の上端面より上方に延びる領域部分をいう。
【００４３】
詳しくは、内筒部３０１の外側に外補助部材１７として円筒状の外補助パイプ１８が装着され、内筒部３０１の内周側の旧排水通路部５１と接続されて内筒部３０１の上端面より上方に延びる延長排水通路部５２が、外補助パイプ１８の内周側に形成されている。
【００４４】
外補助パイプ１８は、塩化ビニル製で円筒状に形成され、下端側が内筒部３０１の外形形状に対応した形状に拡径した拡径部１８１を有している。
【００４５】
拡径部１８１の上部内側に内筒部３０１の上端面及び後述する内補助パイプ１９の拡径部１９１と当接する緩衝部材１８３を有している。緩衝部材１８３は、ウレタン製で円環状に形成され、拡径部１８１の上部に装着されている。
【００４６】
内筒部３０１の内側に円筒状の内補助パイプ１９が配設され、流入部２側の端部で外補助パイプ１８の内周面と連接されている。
【００４７】
内補助パイプ１９は、塩化ビニル製で外補助パイプ１８より小径の円筒状に形成され、上端側が外補助パイプ１８の内周面及び緩衝部材１８３と当接可能に拡径した拡径部１９１を有している。内補助パイプ１９は、排水管接続口４の下端面より下側に突出して配設されている。
【００４８】
内補助パイプ１９の上端部と、外補助パイプ１８の内周面とは接着又は密着されている。外補助パイプ１８の内補助パイプ１９の上端部との接着部分の上部には、径方向に挿通する水抜き孔１８２が、周方向に沿って複数形成されている。
【００４９】
排水金物本体３０の底板部３０３と、内筒部３０１及び内筒部３０１から延設された円筒状の外補助パイプ１８と、外筒部３０２及び外筒部３０２から延設された調節管９と、に囲まれた部分には、下端側が閉塞した中空部３６が形成されている。
【００５０】
中空部３６の流入部２側の端部において、外補助パイプ１８と調節管９との間には、流入部２形成時に流入部２の下地となる、ポリスチレン製で環状の保持緩衝材３７が、嵌入されている。保持緩衝材３７の上側には、エポキシ樹脂が充填されたコーキング樹脂層３４３が形成され、流入部２を形成している。流入部２の内面すなわち、コーキング樹脂層３４３の表面は、凹凸をなくして排水を流れやすくした滑らかな仕上げ面６が形成されている。
【００５１】
外補助パイプ１８と、排水金物本体３０の底板部３０３と、外筒部３０２との間に形成された中空部３６の底板部３０３側周辺に、外筒部３０２から外補助パイプ１８にわたり水漏れ防止充填剤としてエポキシ樹脂又は防水性の高いモルタルが充填されたコーキング樹脂層３５が形成されている。
【００５２】
弁部材１０は、上端部が、排水通路５を形成する外補助パイプ１８の流入部２側の端部及び流入部２の配設部２１に配置され、上方向に移動可能とされている。弁部材１０についての以下の説明では、排水通路５を形成する外補助パイプ１８の流入部２側の端部及び流入部２の配設部２１に配置された状態時の上流側を上とし、下流側を下とする。
【００５３】
弁部材１０は、図２、３に示すように、下端側に傾斜面部１１１を有する主管体（管体）１１と、主管体１１の傾斜面部１１１に密着して装着された可撓性弁部材（以下、「弁部」という。）１２と、を備えて構成されている。
【００５４】
主管体１１は、塩化ビニル製の管体で形成された主管本体１１ａと、主管本体１１ａに別部材を外嵌して大径に形成された装着部１３と、を有して形成されている。
【００５５】
主管体１１の下端側には、管軸に対して斜め方向に切断した傾斜面部１１１及び傾斜面部１１１によって囲まれた開口面１１４が形成されている。傾斜面部１１１の上端側には、主管体１１の管軸に対して直交する水平面部１１２が形成されている。水平面部１１２の上方には、図３に示すように、傾斜面部１１１から延設された溝部１１３が、主管体１１の下端側に向かって屈曲して形成されている。溝部１１３は、後述する弁部１２の一端を挿入して止着できる程度の厚みと深さを有して形成されている。
【００５６】
主管体１１の上端側には、径方向に挿通する貫通孔１１５が、周方向に沿って等間隔に四か所形成されている。
【００５７】
弁部１２は、図３、４に示すように、薄板状の可撓性部材で形成され、開口面１１４を開閉可能に配設されている。弁部１２は、主管体１１の傾斜面部１１１に密着して開口面１１４を閉塞させる本体部１２１と、本体部１２１の一端で主管体１１に形成された溝部１１３に挿入可能な折返し部１２２とから形成されている。
【００５８】
図４に示すように、折返し部１２２は、弁部１２の一端が折り返されて、挿入される溝部１１３の奥側に配置される部位が二重に、挿入口側に配置される部位が三重に形成されている。溝部１１３に挿入された弁部１２は、本体部１２１と折返し部１２２との境界部分で屈曲して、開口面１１４を開閉可能に形成されている。図５に示すように、主管本体１１ａの傾斜面部１１１と、水平面部１１２との境界付近の２箇所には、弁部１２を溶着する熱溶着部１２３が形成されている。
【００５９】
装着部１３は、図２、３に示すように、主管本体１１ａより大径筒状で弾性を有する樹脂製で、主管本体１１ａに外嵌させて形成されている。
【００６０】
装着部１３は、円筒状の円筒部１３１と、円筒部１３１の上端から径方向外側に突出するフランジ部１３２と、を有している。
【００６１】
円筒部１３１は、中央部分の小径部と、フランジ部１３２側で径方向外側に突出する第一の中径部１３１ａと、フランジ部１３２側の反対側で径方向外側に突出する第二の中径部と１３１ｂと、を有している。
【００６２】
フランジ部１３２の上面は、主管本体１１ａの上端面と面一となるように形成されている。
【００６３】
フランジ部１３２の下面は、図１、図９（ａ）、（ｂ）に示すように、主管本体１１ａの管軸に直交する平滑面に形成されるとともに、流入部２の配設部２１と密接する形状に形成されている。
【００６４】
弁部材１０は、フランジ部１３２の下面と、外補助パイプ１８の流入部２側の端面及び流入部２の配設部２１とを対向させて、上方から主管本体１１ａを外補助パイプ１８内に挿入して、フランジ部１３２の下面と、外補助パイプ１８の流入部２側の端面及び流入部２の配設部２１とを密接させて配置されている。
【００６５】
既存の床排水金物５０から本実施形態の排水構造１への改修方法を、以下に説明する。
【００６６】
床排水金物５０は、図６（ａ）に示すように、椀５６が内筒部３０１の上端面に着座した状態で、施設内の床面Ｔに設置されている。図６（ｂ）に示すように、排水目皿７及び椀５６を取り外して、排水管３及び排水金物本体３０内の錆び、塵芥を取った後、錆び、塵芥を水で洗浄する清掃工程を行なう。水分が残るとコーキング剤が付かなくなるので、図示しない乾燥装置（ここでは、ガストーチ）で排水金物本体３０及び調節管９内を乾燥させる。
【００６７】
清掃工程後に、図７（ａ）に示すように、内筒部３０１の外側に外補助部材１７として円筒状の外補助パイプ１８を被せ、内筒部３０１の内周側の旧排水通路部５１と接続されて内筒部３０１の上端面より上方に延びる延長排水通路部５２を外補助パイプ１８の内周側に形成する延長排水通路部形成工程を行なう。このとき、緩衝部材１８３が、内筒部３０１の上端面と接するまで押し込む。これによって、内筒部３０１及び内筒部３０１から延設された円筒状の外補助パイプ１８と、外筒部３０２及び外筒部３０２から延設された調節管９との間には、下端側が底板部３０３によって閉塞された中空部３６が形成される。
【００６８】
延長排水通路部形成工程後に、図７（ｂ）に示すように、内筒部３０１の内周面側に円筒状の内補助パイプ１９を挿入して配設し、拡径部１９１を外補助パイプ１８の拡径部１８１と接するまで押し込む。そして内補助パイプ１９の上端部と、外補助パイプ１８の内周面と接着又は密着させる内被覆工程を行なう。
【００６９】
内被覆工程後に、図８（ａ）に示すように、中空部３６の底板部３０３側に、外筒部３０２から外補助パイプ１８にわたり水漏れ防止充填剤としてエポキシ樹脂又は防水性の高いモルタルを充填してコーキング樹脂層３５を形成する充填工程を行なう。
【００７０】
その後、図８（ｂ）に示すように、外補助パイプ１８と調節管９との間に保持緩衝材３７を嵌入する。保持緩衝材３７の上側に、図９（ａ）に示すように、充填材３４としてエポキシ樹脂を充填してコーキング樹脂層３４３を形成する流入部形成工程を行なう。流入部形成工程では、コーキング樹脂層３４３を、調節管９の上端開口縁から外補助パイプ１８の上端開口縁に向かって狭小に形成し、流入部２を形成する。流入部２の内面すなわち、コーキング樹脂層３４３の表面を、凹凸がなく排水が流れやすい滑らかな仕上げ面６に形成する。仕上げ面６を形成する際、配設部２１を、他の仕上げ面６より下側に段差を有して外補助パイプ１８の管軸に直交する平滑面を形成するとともに、フランジ部１３２の下面と密接する形状に形成している。
【００７１】
図９（ｂ）に示すように、フランジ部１３２の下面と、外補助パイプ１８の流入部２側の端面及び流入部２の配設部２１とを対向させて、上方から主管本体１１ａを外補助パイプ１８内に挿入して、フランジ部１３２の下面と、外補助パイプ１８の流入部２側の端面及び流入部２の配設部２１とを密接させて、弁部材１０を配置するトラップ配設工程を行なう。
【００７２】
図１０に示すように、排水目皿７を目皿受け８で支持させて既存の床排水金物５０から排水構造１への改修が完了する。
【００７３】
本実施形態の排水構造１では、内筒部３０１の外側に円筒状の外補助パイプ１８を配設して、内筒部３０１の内周側の旧排水通路部５１と接続されて内筒部３０１の上端面より上方に延びる延長排水通路５２部を外補助パイプ１８の内周側に形成して、内筒部３０１の内側に円筒状の内補助パイプ１９を配設して、内補助パイプ１９を、上端部で外補助パイプ１８の内周面と密接させ、外補助パイプ１８の上端開口端面に連接して外補助パイプ１８の上端開口部に排水を流入させる流入部２を充填材３４により形成して、外補助パイプ１８の上端開口部に排水を下流側に流通させる弁部材１０を配設している。
【００７４】
内筒部３０１の内周面側に円筒状の内補助パイプ１９を配設することで、内筒部３０１の内周面側に排水が付着することを防止して内筒部３０１の腐食の進行を止めることができるので、内筒部３０１の長期的な保存を可能にすることができる。
【００７５】
また、外補助パイプ１８を、円筒状で下端側が内筒部３０１の外形形状に対応した形状に拡径した拡径部１８１を有する構成にして、外補助パイプ１８を、内筒部３０１の外側に被せて、外補助パイプ１８内に内補助パイプ１９を挿入して、内補助パイプ１９の上端部と、外補助パイプ１８の内周面とを接着又は密着させている。
【００７６】
これにより、内筒部３０１の腐食の程度にかかわらずに排水を下流側に流通させる弁部材１０を配設可能な延長排水通路部５２を迅速に形成することができるので、排水管３の改修を容易に行なうことができる。また、外補助パイプ１８を内筒部３０１に被せやすくなるので作業性を高めることができる。
【００７７】
また、拡径部１８１の上部内側に内筒部３０１の上端面及び内補助パイプ１９の拡径部１９１と当接するウレタン製の緩衝部材１８３を有するようにして、緩衝部材１８３を、ウレタン製で円環状に形成して、拡径部１８１の上部に装着している。
【００７８】
これにより、緩衝部材１８３が、変形しながら当接して内筒部３０１を保護することができる。また、内補助パイプ１９の拡径部１９１と変形しながら当接してストッパとして機能するので、外補助パイプ１８と、内補助パイプ１９との嵌め合いを確実にすることができる。
【００７９】
また、内補助パイプ１９を、上端側が拡径した拡径部１９１を有するようにして、内補助パイプ１９の拡径部１９１の上端部と、外補助パイプ１８の内周面で接着又は密着させている。
【００８０】
これにより、内補助パイプ１９により内筒部３０１の内周面側に排水が付着することを防止でき、内筒部３０１の保全性を高めることができる。また、拡径部１９１が、緩衝部材１８３と当接するので、外補助パイプ１８と、内補助パイプ１９との嵌め合いを確実にすることができる。
【００８１】
また、弁部材１０を、外補助パイプ１８の内径より小径に形成されて外補助パイプ１８内に挿入された円筒状の主管体１１と、薄板状の弁部１２とを備え、主管体１１の上端部に、主管体１１の径方向外側に突出するフランジ部１３２を設け、フランジ部１３２を、外補助パイプ１８の流入部２側の端部に上方への移動可能に配置して、主管体１１の下端面に、管軸に対して斜め方向に切断した傾斜面部１１１及び傾斜面部１１１によって囲まれた開口面１１４形成して、弁部１２を、開口面１１４を開閉可能に配設している。
【００８２】
これにより、瞬間的に排水管３の管内圧力が上昇した場合に、フランジ部１３２が圧力を受けることで上方向に弁部材１０を移動させるので正圧にも対応することができる。
【００８３】
また、排水管３からの下水臭、害虫の侵入を防止することができるとともに、弁部材１０を外すことが可能になり、排水管３内洗浄、排水構造１内清掃、弁部材１０の脱着確認、交換、修理を容易にすることができる。
【００８４】
また、主管体１１を、主管本体１１ａと、主管本体１１ａに別部材を外嵌して大径に形成された装着部１３と、で構成して、装着部１３を、円筒状の円筒部１３１と、円筒部１３１の上端から径方向外側に突出するフランジ部１３２と、を有するようにしている。
【００８５】
これにより、フランジ部１３２が破損等で使用できなくなった場合には、交換が可能となり耐用年数を長くすることができる。また、外補助パイプ１８の径の大きさにより弁部材１０が配置できない場合にも、交換することができるので、弁部材１０の汎用性を高めることができる。
【００８６】
また、円筒部１３１を、中央部分の小径部と、フランジ部１３２側で径方向外側に突出する第一の中径部１３１ａと、フランジ部１３２側の反対側で径方向外側に突出する第二の中径部と１３１ｂと、で構成している。これにより、瞬間的に排水管３の管内圧力が上昇して、フランジ部１３２が圧力を受けることで上方向に弁部材１０が移動した場合に、第一の中径部１３１ａと、第二の中径部と１３１ｂとが、外補助パイプ１８の内周面に当たってストッパの機能を果たすため、弁部材１０の配置状態を安定させることができる。
【００８７】
フランジ部１３２の上面を、主管本体１１ａの上端面と面一となるように形成しているので、排水の流れを円滑にすることができる。
【００８８】
また、フランジ部１３２の下面を、主管本体１１ａの管軸に直交する平滑面に形成するとともに、外補助パイプ１８の上端開口端面及び流入部２の配設部２１と密接する形状に形成しているので、外補助パイプ１８の上端開口端面及び流入部２と、フランジ部１３２との隙間をつめることが可能となり、弁部材１０のパッキン効果を高めることができる。
【００８９】
また、外補助パイプ１８と、外筒部３０２と、底板部３０３とに囲まれて形成された中空部３６の底板部３０３側に、外筒部３０２から外補助パイプ１８にわたり水漏れ防止充填剤としてエポキシ樹脂を充填してコーキング樹脂層３５を形成している。
【００９０】
これにより、防水層３８の上側にあふれ出て排水金物本体３０に形成された水抜き孔から中空部３６に流れ込む排水が底板部３０３に付着することを防止でき、排水金物本体３０の底板部３０３の腐食の進行を止めることができる。
【００９１】
本発明における排水金物の改修方法及び排水構造の他の実施形態について説明する。以下の説明において、第一の実施形態と同じ構成については、同じ符号を付し説明を省略する。
【００９２】
排水構造１Ａでは、図１２、１３に示すように、外補助部材１７が、一端が内筒部３０１の上端外側に被せられる円筒状のソケット４１と、ソケット４１の他端に嵌合されソケット４１から上方に延びる円筒状の延設パイプ４２と、で構成されている。
【００９３】
ソケット４１は、塩化ビニル製で両端が開口した円筒状に形成され、挿入方向の中央部に内周面に沿って径方向内側に突出する突条４１１が設けられている。突条４１１の上側端面には、ウレタン製で円環状に形成された緩衝部材４１２が装着されている。緩衝部材４１２は、突条４１１より、径方向内側に突出するように形成されている。
【００９４】
延設パイプ４２内に内補助パイプ１９が挿入され、内補助パイプ１９の上端部と、延設パイプ４２の内周面とが接着又は密着されている。
【００９５】
既存の床排水金物５０から本実施形態の排水構造１Ａへの改修方法を、以下に説明する。
【００９６】
清掃工程は第一の実施形態と同様に行なう。清掃工程後に、図１２（ａ）に示すように、ソケット４１の一端を内筒部３０１の上端部外側に被せ、突条４１１と、内筒部３０１の上端面とが当接するまで挿入して、ソケット４１と、内筒部３０１とを嵌合させる。
【００９７】
その後、図１２（ｂ）に示すように、ソケット４１の他端に延設パイプ４２を、緩衝部材４１２と当接するまで挿入して、ソケット４１と、延設パイプ４２とを嵌合させて延長排水通路部形成工程を行なう。
【００９８】
内被覆工程は、延長排水通路部形成工程の直後に行われ、図１３に示すように、延設パイプ４２内に内補助パイプ１９を挿入して、緩衝部材４１２と、内補助パイプ１９の拡径部１９１とが当接するまで押し込んで、内補助パイプ１９の上端部と、延設パイプ４２の内周面とを接着又は密着させる。
【００９９】
以降は、第一の実施形態と同様である。
【０１００】
排水構造１Ａでは、外補助部材１７をソケット４１と、延設パイプ４２とに別部材にすることにより、内筒部３０１とサイズが合わない場合に、サイズの合うものに取り替えれば排水を下流側に流通させる弁部材１０を配設可能な延長排水通路部５２を迅速に形成することができるので、排水管３の改修を容易に行なうことができる。また、内補助パイプ１９の上端部と、延設パイプ４２の内周面とを接着又は密着させることで、排水の侵入を防ぐので、排水金物本体３０の内筒部３０１の長期的な保存を確実なものとすることができる。
【０１０１】
また、図１と同様に、外筒部３０２と、内筒部３０１と、底板部３０３とに囲まれて形成された中空部３６Ａの底板部３０３側に、外筒部３０２から内筒部３０１にわたり水漏れ防止充填剤としてエポキシ樹脂又は防水性の高いモルタルを充填してコーキング樹脂層３５を形成している。
【０１０２】
これにより、防水層３８の上側にあふれ出て排水金物本体３０に形成された水抜き孔から中空部３６Ａに流れ込む排水が底板部３０３に付着することを防止でき、排水金物本体３０の底板部３０３の腐食の進行を止めることができる。
【０１０３】
また、ソケット４１を、両端が開口した円筒状に形成して、挿入方向の中央部に内周面に沿って径方向内側に突出する突条４１１を設け、突条４１１の上側端面に、ウレタン製で円環状に形成された緩衝部材４１２を装着して、緩衝部材４１２を、突条４１１より、径方向内側に突出するように形成している。
【０１０４】
これにより、緩衝部材４１２が、内補助パイプ１９の拡径部１９１と変形しながら当接してストッパとして機能するので、外補助パイプ１８と、内補助パイプ１９との嵌め合いを確実にすることができる。
【０１０５】
また、内補助パイプ１９を、上端側が拡径した拡径部１９１を有するようにして、内補助パイプ１９の拡径部１９１の上端部と、外補助パイプ１８の内周面で接着又は密着させている。
【０１０６】
これにより、内補助パイプ１９により内筒部３０１の内周面側に排水が付着することを防止でき、内筒部３０１の保全性を高めることができる。また、拡径部１９１が、緩衝部材４１２と当接するので、外補助パイプ１８と、内補助パイプ１９との嵌め合いを確実にすることができる。
【０１０７】
以下、弁部材１０の変形例について説明する。
【０１０８】
図１１（ａ）、（ｂ）に示す、弁部材１０Ａのように、装着部１３を主管本体１１ａの貫通孔１１５が露出する程度に下方にずらして嵌めこととしてもよい。これにより、貫通孔１１５で水を流入させかつ、掛止フック等が挿通可能になるので、弁部材１０Ａを引っ掛けて外すことができる。また、主管本体１１ａが、装着部１３より上部に突出するので排水目皿７をすり抜けた小石等の侵入を防ぐことができる。
【０１０９】
また、弁部１２は、折返し部１２２を保持して本体部１２１を本体部１２１の面に直交する方向に押圧することにより、折返し部１２２に対して本体部１２１が屈曲し、押圧解除することにより弾性復帰できる性質を有するものであれば、プラスチック製ではなく、ゴム製等の樹脂材であってもよい。
【０１１０】
また、水平面部１１２は、傾斜面部１１１の上側において、傾斜面部１１１より主管本体１１ａの管軸の下側に向かって突出して形成されていれば、管軸に直交する水平面でなくてもよく、傾斜して形成されていたり、また山状に形成されていたり等の盛り上がったものでもよい。
【０１１１】
また、流入部２は、排水構造１の開口した上端縁から排水通路５に向かって、椀形状で狭小となるように形成されているが、これにはこだわらない。例えば、テーパ状や段付きテーパ状に形成してもよい。
【０１１２】
また、フランジ部１３２の下面を、主管本体１１ａの管軸に直交する平滑面に形成しているが、外補助パイプ１８の上端開口端面及び流入部２の配設部２１と密接する形状に形成できるのであれば、これにはこだわらない。例えば、フランジ部１３２の下面を、主管本体１１ａの管軸に対して上側に傾斜するテーパ面に形成して、外補助パイプ１８の上端開口端面及び流入部２の配設部２１を、密接可能な形状に形成してもよい。
【０１１３】
また、充填材３４としては、ポリウレタン、ポリスチレン等の既存の全ての隙間充填材を用いることができる。
【０１１４】
また、保持緩衝材３７としては、発泡ウレタンなどの既存の全ての隙間充填材を用いることができる。
【０１１５】
また、いずれの実施形態においても、施設内の床面Ｔだけでなく、排水側溝に設置されている床排水金物５０にも適用することができる。
【０１１６】
弁部材１０の主管本体１１ａ又は装着部１３上部に、塵芥を捕集するフィルタを配設してもよい。
【０１１７】
また、保持緩衝材３７を使わずに、中空部３６にモルタル、砂、エポキシ樹脂、等を充填して、かさ上げした後にエポキシ樹脂を充填してコーキング樹脂層３４３を形成するようにしてもよい。
【０１１８】
また、排水構造１において、緩衝部材１８３は、拡径部１８１の上部内側に緩衝部材１８３を有しているが、内補助パイプ１９の拡径部１９１の外側に装着する構成にして、延長排水通路部形成工程前に、内被覆工程を行なうようにしてもよい。
【符号の説明】
【０１１９】
１、１Ａ  排水構造
２  流入部
３  排水管
４  排水管接続口
５  排水通路
５１  旧排水通路部
５２  延長排水通路部
５６  椀
６  仕上げ面
１０  弁部材
１１  主管体
１１ａ  主管本体
１１１  傾斜面部
１１４  開口面
１２  弁部
１２１  本体部
１３  装着部
１３２  フランジ部
１７  外補助部材
１８  外補助パイプ
１８１  拡径部
１９  内補助パイプ
１９１  拡径部
３４  コーキング樹脂層
３４３  コーキング樹脂層
３６、３６Ａ  中空部
３７  保持緩衝材
４１  ソケット
４２  延設パイプ
【図１】
0005610302.tif 000002
【図２】
0005610302.tif 000003
【図３】
0005610302.tif 000004
【図４】
0005610302.tif 000005
【図５】
0005610302.tif 000006
【図６】
0005610302.tif 000007
【図７】
0005610302.tif 000008
【図８】
0005610302.tif 000009
【図９】
0005610302.tif 000010
【図１０】
0005610302.tif 000011
【図１１】
0005610302.tif 000012
【図１２】
0005610302.tif 000013
【図１３】
0005610302.tif 000014